(57)【要約】【課題】電話局内の局内装置と加入者回線を接続するための主配線盤の一段リンク構成において回避ルートの形成およびマルチ接続を可能にすることを目的とする。【解決手段】加入者回線からの信号をＭＤＦへ入力するための入力回線と、行列に配置された端子を有す第１のマトリクスボードおよび第２のマトリクスボードと、交換機へ信号を出力するための出力回線とから成り、各マトリクスボードをそれぞれの行同士で接続し、入力回線を第１のマトリクスボードの任意の端子に接続し、この端子を第２のマトリクスボードの端子に接続し、この端子を出力回線に接続して加入者回線と交換機との間でパスルートを形成することを特徴とする。【選択図】　図１
2004080338.tif 000002
【特許請求の範囲】
【請求項１】
電話局内の局内装置と加入者回線を接続するための主配線盤の一段リンク構成において、
加入者回線からの信号を主配線盤へ入力するための入力回線と、行列に配置された端子を有する第１のマトリクスボードおよび第２のマトリクスボードと、交換機へ信号を出力するための出力回線とから成り、第１のマトリクスボードと第２のマトリクスボードをそれぞれの行同士で接続し、
入力回線を第１のマトリクスボードの任意の端子に接続し、該端子を第２のマトリクスボードの端子に接続し、該端子を出力回線に接続して加入者回線と交換機との間でパスルートを形成することを特徴とする主配線盤の一段リンク構成。
【請求項２】
請求項１において、パスルートに接続障害が発生した場合に、第１およびは第２のマトリクスボードのどちらか一方の端子を切断することにより、パスルートの解除を可能とすることを特徴とする主配線盤の一段リンク構成。
【請求項３】
請求項１または請求項２において、第１および第２のマトリクスボードの行端子の数だけのマルチ接続が可能になることを特徴とする主配線盤の一段リンク構成。
【請求項４】
請求項１、請求項２または請求項３において、第１および第２のマトリクスボードの行の数は列の数より多く設けたことを特徴とする主配線盤の一段リンク構成。
【請求項５】
請求項１、請求項２または請求項３において、第１のマトリクスボードと第２のマトリクスボードの列の数が異なることを特徴とする主配線盤の一段リンク構成。
【発明の詳細な説明】
【０００１】
【発明の属する技術分野】
本発明は、電話局内の局内装置と加入者回線を接続するための主配線盤（ＭＤＦ）における一段リンク構成に関する。
【０００２】
【従来の技術】
従来の電話局内の局内装置と加入者回線を接続するための主配線盤（ＭＤＦ）の一段リンク構成を図５の説明図を用いて以下に説明する。
１は入力回線であり、マトリクスボード２の空いている端子をクロスポイントとして接続し、加入者回線からの信号を入力する。入力された信号は出力回線３から交換機へ信号を出力する。これにより、加入者回線と交換機とのパスルートの形成が行われていた。
【０００３】
【発明が解決しようとする課題】
しかし、このような従来技術によるとマトリクスボードの１つの端子に障害が発生した場合、図５に示す如く障害が発生したクロスポイントの行および列の使用ができなくなるという問題があった。
また、パスルートが集中した場合など、接続されたクロスポイントに障害が発生したときに、パスルート接続を解除することができなくなるという問題があった。
【０００４】
【課題を解決するための手段】
そこで、本発明は、加入者回線からの信号を主配線盤へ入力するための入力回線と、行列に配置された端子を有す第１のマトリクスボードおよび第２のマトリクスボードと、交換機へ信号を出力するための出力回線とから成り、第１のマトリクスボードと第２のマトリクスボードをそれぞれの行同士で接続し、入力回線を第１のマトリクスボードの任意の端子に接続し、該端子を第２のマトリクスボードの端子に接続し、該端子を出力回線に接続して加入者回線と交換機との間でパスルートを形成することを特徴とする。
【０００５】
また、パスルートに接続障害が発生した場合に、第１および第２のマトリクスボードのどちらか一方の端子を切断することにより、パスルートの解除が可能となり、さらに、第１および第２のマトリクスボードの行端子の数だけのマルチ接続が可能になることを特徴とする。
また、第１および第２のマトリクスボードの行の数は列の数より多く設けたことを特徴とする。
【０００６】
【発明の実施の形態】
図１は本発明の実施の形態を示す概略構成図である。
なお、以下の説明において上記従来技術で説明した部位と同様の部位は同一符号を用いて説明する。
１０は電話局内の交換機などの局内装置と加入者回線を接続するための主配線盤（以下、ＭＤＦという。）である。
【０００７】
１は入力回線であり、マトリクスボード２の列端子に接続し、加入者回線からの信号をＭＤＦ１０へ入力する。
３は出力回線であり、マトリクスボード４の列端子に接続し、ＭＤＦ１０から交換機へ信号を出力する。
このマトリクスボード２とマトリクスボード４の行端子はそれぞれの行同士で接続されており、各マトリクスボードの行の数はクロスポイント障害の発生確率を想定して各マトリクスボードの列の数より多く設定されている。
【０００８】
次に、上記の構成による動作を以下に説明する。
入力側と出力側を１対１で接続する通常のパスルートは、図２に示す如く、マトリクスボード５の入力対象列の空きのある端子に図示しないピンを挿入し、列端子と行端子を導通させてクロスポイント７として接続する。
次に、マトリクスボード５で選択された配線９とマトリクスボード６の空いている端子をクロスポイント８として接続する。これによって、入力側と出力側を１対１で接続したパスルートが形成される。
【０００９】
このパスルートを形成する際に空いている端子に障害がある場合には配線９を閉塞状態とし、空いている任意の配線を回避ルート２０とし、マトリクスボード５の入力対象列と回避ルート２０の空いている端子を接続し、次にマトリクスボード６の空いている端子を接続する。これにより、端子の障害を回避するための回避パスルートを形成することができる。
【００１０】
１対１で形成されたパスルートを解除する場合に、何らかの原因でクロスポイント７において障害が発生し、接続を解除することができない場合にはクロスポイント８のみのピンを引抜いて接続解除する。これにより加入者回線と交換機を１対１で接続したパスルートを解除することが可能になる。その後、配線９を閉塞状態とし以後のパスルートの設定で使用できないようにする。
【００１１】
また、クロスポイント８と同一行いずれもが出力対象端子であるため、図３に示す如くクロスポイント３０も同時に接続することが可能になる。最初に選択されたクロスポイント８と同一の行端子の数の分だけのマルチ接続を行うことができる。
例えば出力側のマトリクスボード６のクロスポイントがｎ個の場合入力回線：出力回線が１：ｎの組み合わせで接続が可能になる。
【００１２】
同様に入力側のマトリクスボード５のクロスポイントがｎ個の場合入力回線：出力回線がｎ：１の組み合わせで接続が可能になる。
また、図４に示す如くマトリクスボード５とマトリクスボード６の行端子の数が同一でなくても良い。例えば出力側のマトリクスボード６の行端子の数を増加させることにより、つまり、列の数を増加させることにより、マルチ接続において出力回線数を多くすることができる。
【００１３】
なお、図１から図５において入力回線１および出力回線３の１回線を１本の線で示しているが、通常１回線は２本のワイヤで構成されており、クロスポイント障害が発生した際の一括同時切り替えが可能である。
【００１４】
【発明の効果】
以上詳細に説明した本発明によると、マトリクスボードを２枚用いることにより、省スペースなＭＤＦを構成することが可能になる。
また、１対１のパスルートを形成した場合に２枚のマトリクスボード上のクロスポイントのうち、どちらか一方のクロスポイントで障害が発生した場合でも、障害が発生していないクロスポイントの接続を解除することによりパスルート接続を解除することが可能となる効果を有する。
【００１５】
さらに、マルチボードの行端子の数のだけのマルチ接続が可能となる効果を有する。
【図面の簡単な説明】
【図１】本発明の実施の形態を示す概略構成図
【図２】パスルート形成の説明図
【図３】マルチ接続の説明図
【図４】２枚のマトリクスボードの列の数が異なる場合の説明図
【図５】従来技術を示す説明図
【符号の説明】
１　入力回線
２　マトリクスボード
３　出力回線
４，５，６　マトリクスボード
７，８　クロスポイント
９　配線
１０　ＭＤＦ
２０　回避ルート
３０　クロスポイント
【図１】
2004080338.tif 000003
【図２】
2004080338.tif 000004
【図３】
2004080338.tif 000005
【図４】
2004080338.tif 000006
【図５】
2004080338.tif 000007